(57)【要約】【課題】特により一層の小型軽量化を図り易くする。【解決手段】 紐用通し孔を有したスライダー２と、スライダー２を端面側の開口１４ａから内空間１４に摺動可能に配置し、かつ前記通し孔と連通可能な窓部を対向する両面に有したケース１とを備え、紐４がその引き側端部４ａを、前記窓部及び通し孔に通した状態から、スライダー２の摺動を介して窓部に対する通し孔の位置をずらすことで抜けないよう係止可能にする紐留め具３において、ケース１と一対のスライダー２，２との３点構成からなり、ケース１は内空間１４及び窓部１５，１６を両側に有し、スライダー２は両側の内空間１４に独立して配置されかつ各スライダーが通し孔をそれぞれ２箇所に有し、紐４の端部４ａを、異方向からそれぞれ導いて対応する側の窓部１５又は１６及び各通し孔２２，２３に通した状態から、異方向への引き操作によって各スライダー２を摺動しそれにより係止可能にした。【選択図】図３
2008178593.tif 000002
【特許請求の範囲】
【請求項１】
紐用通し孔を形成しているスライダーと、前記スライダーを端面側の開口から内空間に摺動可能に配置し、かつ前記通し孔と連通可能な窓部を対向する上下面に形成しているケースとを備え、紐がその引き側端部を、前記窓部及び前記通し孔に通した状態から、前記スライダーの摺動を介して前記窓部に対する前記通し孔の位置をずらすことで抜けないよう係止可能にする紐留め具において、
前記ケースと一対の前記スライダーとの３点構成からなり、
前記ケースは前記内空間及び前記窓部を両側に有しているとともに、前記各スライダーは前記両側の内空間にそれぞれ独立して配置されて、かつ該各スライダーが前記通し孔をそれぞれ２箇所に有して、
前記紐の引き側端部を、前記ケースの両側に異方向からそれぞれ導いて対応する側の前記窓部及び前記各通し孔に通した状態から、異方向への引き操作によって前記各スライダーを摺動し、それにより係止可能にすることを特徴とする紐留め具。
【請求項２】
前記スライダーは、前記ケースの内空間に挿入されると共に前記通し孔を形成している略舌状の差込板部と、該差込板部の対応端に設けられて前記ケースの開口を外側から目視不能に覆う釦部と、前記ケースから不用意に外れないようにする抜止め手段とを有していることを特徴とする請求項１に記載の紐留め具。
【請求項３】
前記通し孔及び前記窓部の少なくとも一方には前記紐の対応部に喰い付くエッジ部が設けられている請求項１又は２に記載の紐留め具。
【請求項４】
前記各通し孔は円形からなると共に、前記窓部は前記各通し孔を露出可能な大きさの楕円形からなることを特徴とする請求項１から３の何れかに記載の紐留め具。
【発明の詳細な説明】
【技術分野】
【０００１】
本発明は、例えば、靴の前側や袋体の開口縁回り等に配置される紐の両端又は一端を引っ張って任意の長さに係止したり、紐の締め付け度合いを調整するために好適な紐留め具に関する。
【背景技術】
【０００２】
この種の紐留め具は、特許文献１〜３に例示されるように、紐用通し孔を形成しているスライダー（挿入子、スライド体等とも称される）と、前記スライダーを端面側の開口から内空間に摺動可能に配置し、かつ前記通し孔と連通可能な窓部を対向する上下面に形成しているケース（本体、ケース体、外体等とも称される）と、前記スライダーをケースから突出する方向へ付勢する付勢手段（コイルばね又は樹脂の弾性片で構成されている）とを備えている。そして、使用時は、スライダーが付勢手段の付勢力によりケースから突出方向へ摺動され、ケース側窓部に対するスライダー側通し孔の位置をずらすことで、紐の対応部を、窓部内面と通し孔の対応内面部との間に挟持し、それにより紐の引き側端部を抜けないよう係止する。また、係止を解除したり紐の引き量を調整する際は、スライダーを付勢力に抗してケース内へ押し込んだ状態を保って、紐留め具自体を紐に沿って移動することになる。
【特許文献１】実公平５−３０５２号公報
【特許文献２】特開平１１−３３２６１７号公報
【特許文献３】特開２００１−２１８６０７号公報
【発明の開示】
【発明が解決しようとする課題】
【０００３】
上記した従来紐留め具は、紐の引出量などを簡単に調整できるため簡易かつ使い勝手に優れているが、何れもがスライダーを付勢する付勢手段を必須としているため、更なる小型化、軽量化並びにコスト低減が図り難いものとなっている。すなわち、付勢手段のうち、特許文献１や３のごとくコイルばねを使用すると部品点数が増えたり配置空間も必要となり、特許文献２のごとく弾性片をスライダーと一体に形成すると、成形型が高価となり、また弾性片が短いと良好な弾性特性を付与し難く、長いと大きな配置空間が必要となる。
【０００４】
本発明の目的は、以上のような問題を解消して、特に部品点数を削減したり小型・軽量化をより達成し、それにより信頼性の向上と用途拡大に寄与することにある。
【課題を解決するための手段】
【０００５】
上記目的を達成するため本発明は、形態例を参考にして特定すると、紐用通し孔を形成しているスライダー２と、前記スライダー２を端面側の開口１４ａから内空間１４に摺動可能に配置し、かつ前記通し孔と連通可能な窓部を対向する上下面に形成しているケース１とを備え、紐４がその引き側端部４ａを、前記窓部及び前記通し孔に通した状態から、前記スライダー２の摺動を介して前記窓部に対する前記通し孔の位置をずらすことで抜けないよう係止可能にする紐留め具３において、前記ケース１と一対の前記スライダー２，２との３点構成からなり、前記ケース１は前記内空間１４及び前記窓部１５，１６を両側に有していると共に、前記各スライダー２は前記両側の内空間１４にそれぞれ独立して配置され、かつ該各スライダー２が前記通し孔をそれぞれ２箇所（２２，２３）に有して、前記紐４の引き側端部４ａを、前記ケース１の両側に異方向からそれぞれ導いて対応する側の前記窓部１５又は１６及び前記各通し孔２２，２３に通した状態から、異方向への引き操作によって前記各スライダー２を摺動し、それにより係止可能にすることを特徴としている。
【０００６】
以上の本発明において、紐としては、ロープやコードそれら類似にするものを含む広義な意味で使用している。また、紐の引き側端部としては、例えば、通常の靴の紐のごとく同じ紐の両端が引き側端部となる態様と、分割された各紐が衣服等の物品の離間した箇所に取り付けられ、各紐の引き側端部を引き寄せるような場合だと異なる紐の対応端が引き側端部となる態様とが考えられ、何れであってもよい。
【０００７】
以上の本発明は次のように具体化されることがより好ましい。
（ア）前記スライダー２は、前記ケース１の内空間１４に挿入されると共に前記通し孔２２，２３を形成している略舌状の差込板部２０と、該差込板部２０の対応端に設けられて前記ケース１の開口１４ａを外側から目視不能に覆う釦部２１と、前記ケース１から不用意に外れないようにする抜止め手段２４とを有している構成である（請求項２）。
（イ）前記通し孔２２，２３及び前記窓部の少なくとも一方には前記紐４の対応部に喰い付くエッジ部２２ａ，２３ａ等が設けられている構成である（請求項３）。
（ウ）前記各通し孔２２，２３は円形からなると共に、前記窓部１５，１６は前記各通し孔を露出可能な大きさの楕円形からなる構成である（請求項４）。
【発明の効果】
【０００８】
請求項１の発明では、従来構造に比べて、特にケース及び２つのスライダーの３点構成であり、付勢手段を用いないで、スライダーを各紐の引き側端部を異方向に引き操作することにより紐係止位置に摺動するため、コスト低減と小型・軽量化をより達成でき、それにより用途拡大を実現できる。
【０００９】
請求項２の発明では、構成部材のシンプル化を図ることを前提とし、ケースの開口を目視不能に覆う釦部の存在によって外観特性及び紐の長さを調整する際の操作性を良好にでき、また抜止め手段により未使用時におけるスライダーの抜け落ちを阻止し、取扱性を維持できるようにする。
【００１０】
請求項３の発明では、ケース側窓部内面とスライダー側の対応する通し孔の対応内面部との間に紐の引き側端部を挟持して抜けないよう係止するが、その際、エッジ部で挟持することによって確実な抜け止め係止を付与できる。これに対し、請求項４の発明では、紐の引き側端部を窓部及び各通し孔に組み込む操作、及び紐が円形通し孔の孔縁や楕円形窓部の孔縁の対応部に挟まれることによって確実な抜け止め係止を付与できる。
【発明を実施するための最良の形態】
【００１１】
本発明の最適な形態を図面を参照しながら説明する。図１は紐留め具の外観を示し、図２は紐留め具の細部を示し、図３は紐留め具の使用時の状態を示し、図４は紐留め具を構成しているケース単品を示し、図５は紐留め具を構成しているスライダー単品を示している。以下の説明では構造特徴、作用特徴の順に詳述する。
【００１２】
（構造特徴）形態例の紐留め具３は、偏平筒形のケース１と２つのスライダー２，２との３点で構成されており、又、作図上拡大しているが、実際はかなり小さくなっている。ケース１及びスライダー２は、何れもが樹脂の射出成形体であり、共にシンプルな形状で量産性に優れている。
【００１３】
ここで、ケース１は、図１と図４に示されるように、偏平筒状をなし、上下面１０，１１と、両端面１２，１２と、両側面１３，１３とで区画形成されている。上下面１０，１１は、上面１０が極緩い凸形の湾曲面であり、下面１１が極緩い凹形の湾曲面であり、左右に窓部１５ａ，１５ｂと１６ａ，１６ｂが上下貫通した状態で設けられている。各窓部は横に長い楕円形である。また、ケース１内は、両端面１２，１２の間を断面矩形の空間で貫通している。符号１４はその内空間であり、符号１４ａは内空間１４に通じている各端面１２に貫通された開口である。但し、ケース１の内部は、両端面に開口し、かつその手前に該開口に通じている所定長さの内空間を有していればよい。
【００１４】
なお、符号１５ａと１６ａは上面１０の窓部、符号１５ｂ，１６ｂは下面１１の窓部である。また、符号を付けないが、各窓部のうち、窓部１５ａ，１６ａの孔下縁と、窓部１５ｂ，１６ｂの孔下縁及び孔上縁は紐４の対応部に喰い付き易くなるようエッジ部として形成されている。
【００１５】
各スライダー２は、図１と図５に示されるように、略舌状の差込板部２０と、差込板部２０の後端面に設けられた釦部２１からなる。差込板部２０は、ケース側内空間１４に挿入される形状であり、紐４を通す２つの通し孔２２，２３と、上下面にそれぞれ突出されている突起２４とを有している。符号２５は差込板部２０の上下面のうち、釦部２１の手前に設けられている凹部である。通し孔２２及び通し孔２３は、図５（ｅ）から分かるように、それぞれの孔の上下縁が紐４の対応部に喰い付き易くなるようエッジ部２２ａ，２３ａに形成されている。
【００１６】
各通し孔２２，２３は、同じ径の円形からなるとともに、図２（ａ）から推察されるごとく両者が前記窓部（１５ａ，１５ｂ又は１６ａ，１６ｂ）に収まる大きさとなっている。突起２４は、差込板部２０の上下面にうち、前側の通し孔２２と後側の通し孔２３との間に位置し、かつ板幅の中間部に突出されている。そして、各突起２４は、各スライダー２がケース１に対し両端の開口１４ａから対応する内空間１４に挿入された状態で対応する窓部（１５ａ，１５ｂ又は１６ａ，１６ｂ）内に位置し、各スライダー２が引き抜かれる方向に摺動されると対応する窓部（１５ａ，１５ｂ又は１６ａ，１６ｂ）の内周に当たって、それ以上抜けないよう規制するストッパーとして機能する。
【００１７】
釦部２０は、差込板部２０がケース１の内空間１４に最大まで挿入された状態で、ケース側開口１４ａを外側から目視不能に覆う大きさからなる。また、釦部２０は、外面に突設した複数の凸部２１ａを有しており、スライダー２をケース１内へ押し操作する際に凸部２１ａの存在で指などが滑り難くなるようにしている。
【００１８】
（作用特徴）以上の紐留め具３は、図３に用途例として示したように、例えば、袋体の開口縁回り等に配置される紐４の両端部４ａ，４ａを異なる方向から引き寄せて、長さ調整可能に係止するような場合に用いられる。すなわち、この態様では、図３（ａ）のごとく、左側の端部４ａは、紐留め具３の左側に引き寄せられて、下側の窓部１５ｂ、前側の通し孔２２、上側の窓部１５ａ、後側の通し孔２３、下側窓部１５ｂに通され紐４の対応する内側に引き出される。同様に、右側の左側の端部４ａも、紐留め具３の右側に引き寄せられて、下側の窓部１６ｂ、前側の通し孔２２、上側の窓部１６ａ、後側の通し孔２３、下側窓部１６ｂに通され紐４の対応する内側に引き出される。
【００１９】
そして、紐４は、以上のセット状態から、両端部４ａ，４ａが図３（ｂ）のごとく異なる同図の矢印方向に引き操作される。すると、紐留め具３は、両側のスライダー２が対応端部２ａの引き方向の応力を受け、該応力と同方向、つまり左側のスライダー２がケース１の対応端から突出する左方向、右側のスライダー２がケース１の対応端から突出する右方向へ摺動される。つまり、各スライダー２は、後側の通し孔２３を形成している部分を内空間１４の対応する開口１４ａ側へ移行するよう摺動される。すると、紐留め具３は、各引き側端部４ａの対応部を、上下窓部１５ａ，１５ｂの対応孔周面部分と通し孔２３の対応孔周面部分との間、又は、上下窓部１６ａ，１６ｂの対応孔周面部分と通し孔２３の対応孔周面部分との間に挟持し、それにより紐の引き側端部４ａ，４ａを抜けないよう係止する。
【００２０】
この係止状態は、特に、上記した窓部１５ａの孔下縁及び窓部１５ｂの孔上下縁のエッジ部、及び通し孔２３の孔上下縁のエッジ部２３ａが紐４の対応部に喰い付いていること、各引き側端部４ａのうち、下側の窓部１５ｂ又は窓部１６ｂから引き出された紐部分が窓部１５ｂ又は窓部１６ｂに挿入される手前に位置して図３（ｂ）の矢印と反対方向に引かれ（矢印と反対方向の張力を受け）ている紐部分とケース１の対応部との間に挟み込まれた状態になること、等によって確実に維持される。
【００２１】
また、紐４の係止を解除したり引き度合いを緩める場合は釦２１をケース１の対応端面側に押し操作する。すると、紐留め具３は、スライダー２が内空間１４の奥へ摺動されて、図３（ａ）と同様なセット時の状態に切り換えられて引き側端部４ａが引き戻されることになる。この係止解除操作は、従来構造のごとく付勢手段の付勢力に抗して行わないため、比較的弱い押圧力にて係止解除できる。
【００２２】
以上のような紐留め具３では、従来構造に比べて、ケース１とスライダー２を製造すればよく、しかも付勢手段を用いない分だけ組み付け作業も簡易となるため、コスト低減が可能となり、付勢手段用の配置空間を省くことで一層の小型化と軽量化を実現でき、それらにより例えばベビー用の衣服やその他の身回り品にも好適となり、用途拡大も期待できる。
【００２３】
なお、以上の形態は本発明を何ら制約するものではない。本発明の紐留め具は、請求項で特定される技術要素を実質的に備えておればよく、細部は必要に応じて種々変更したり展開可能なものである。
【図面の簡単な説明】
【００２４】
【図１】形態例の紐留め具を示す概略斜視図である。
【図２】（ａ）は上記紐留め具の上面図、（ｂ）は端面図、（ｃ）は側面図、（ｄ）は（ａ）のＡ−Ａ線断面図である。
【図３】（ａ）は上記紐留め具に紐の引き側端部をそれぞれ引っ掛けた状態を示す断面図、（ｂ）は各紐の引き側端部を異方向へ引き操作した状態を示す模式断面図である。
【図４】上記紐留め具のケース単品を示し、（ａ）は上面図、（ｂ）は端面図、（ｃ）は下面図、（ｄ）は（ａ）のＢ−Ｂ線断面図である。
【図５】上記紐留め具のスライダー単品を示し、（ａ）は上面図、（ｂ）は右端面図、（ｃ）は左端面図、（ｄ）は側面図、（ｅ）は（ａ）のＣ−Ｃ線断面図である。
【符号の説明】
【００２５】
１…ケース（１０は上面、１１は下面、１２は端面、１３は側面）
２…スライダー
３…紐留め具
４…紐（４ａは引き側端部）
２０…差込板部
２１…釦部
２２，２３…紐用通し孔
２２ａ，２３ａ…エッジ部
２４…突起（抜止め手段）
１４…内空間
１４ａ…開口
１５ａ，１５ｂ…上下の窓部
１６ａ，１６ｂ…上下の窓部
【図１】
2008178593.tif 000003
【図２】
2008178593.tif 000004
【図３】
2008178593.tif 000005
【図４】
2008178593.tif 000006
【図５】
2008178593.tif 000007